(57)【要約】【課題】空気袋体への空気の供給をスムーズに行えることができるために空気袋体による効果の出る空気マッサージが有効になされ、また空気袋体内からの空気の排出を効率的に行うことができる。【解決手段】空気袋体は、袋体１０と、袋体内への空気の供給及び該袋体内から外部への空気の排出に際して空気流通の遮断を防ぐための空気流通遮断防止手段２２を袋体内に配設した。袋体内への空気の供給・排出は、ポンプ１４、弁４２、４４、４６で行われる。【選択図】図１
2005066247.tif 000002
【特許請求の範囲】
【請求項１】
袋体と、該袋体内に空気を供給するためのポンプと、前記袋体内への空気の供給及び該袋体内から外部への空気の排出に際して空気流通の遮断を防ぐための空気流通遮断防止手段を前記袋体内に配設した空気袋体。
【請求項２】
前記袋体は、上下左右の一端側に空気供給・排出手段を備え、前記空気流通遮断防止手段は、少なくとも該空気供給・排出手段の取り付け側で所定の間隔及び長さをもって設けられたウエルダーの終端に沿って長手方向に配設したことを特徴とする請求項１記載の空気袋体。
【請求項３】
前記空気流通遮断防止手段は、前記袋体のウエルダーの終端に沿って全外周に配設置されることを特徴とする請求項２記載の空気袋体。
【請求項４】
前記空気流通遮断防止手段は、円柱体、角柱体又は中空管体等から構成されることを特徴とする請求項２記載の空気袋体。
【請求項５】
前記空気流通遮断防止手段は、弾性部材で作られることを特徴とする請求項４記載の空気袋体。
【請求項６】
前記空気流通遮断防止手段は、前記中空管体内のウエルダーの終端位置の近傍に弾性部材を配設して構成されることを特徴とする請求項２記載の空気袋体。
【請求項７】
前記空気流通遮断防止手段は、前記中空管体内に空気を充填して構成されることを特徴とする請求項２記載の空気袋体。
【発明の詳細な説明】
【技術分野】
【０００１】  本発明は、腹部、膝部又は脚部に巻かれて空気でマッサージするための空気袋体に関する。
【背景技術】
【０００２】  従来、腹部、膝部又は脚部に巻かれて空気でマッサージするための空気袋体が知られている。空気袋体をズボンの内側に入れて空気袋体で腹部のマッサージを行う場合、空気袋体はズボンのベルトで押されているため空気が十分に入っていかないため腹部のマッサージを有効に行うことができなかった。【０００３】  さらに、マッサージ終了後、装着状態で空気袋体に充填された空気を外部に排出する場合、空気袋体がズボンのベルトで押さ付けられていると、十分に空気袋体から空気を外部に排出することができない。特に、空気袋体に所定の間隔でウエルダー加工されているとその終端付近で空気袋体が折れ曲がっており、空気の流通が十分に行われなくなる。その結果、空気袋体への空気の供給が不十分となり、効率の良い空気マッサージを行うことができず、また空気袋体からの空気の排出に手間がかかる等の欠点があった。
【発明の開示】
【発明が解決しようとする課題】
【０００４】  本発明は、従来の欠点を鑑みてなされたもので、本発明の目的は、空気袋体への空気の供給をスムーズに行えることができるために空気袋体による効果の出る空気マッサージが有効になされ、また空気袋体内からの空気の排出を効率的に行うことができる空気袋体を提供することにある。
【課題を解決するための手段】
【０００５】  請求項１に係る空気袋体は、袋体と、該袋体内に空気を供給するためのポンプと、前記袋体内への空気の供給及び該袋体内から外部への空気の排出に際して空気流通の遮断を防ぐための空気流通遮断防止手段を前記袋体内に配設した。【０００６】  請求項２に係る空気袋体は、前記袋体が、上下左右の一端側に空気供給・排出手段を備え、前記空気流通遮断防止手段は、少なくとも該空気供給・排出手段の取り付け側で所定の間隔及び長さをもって設けられたウエルダーの終端に沿って長手方向に配設したことを特徴とする。【０００７】  請求項３に係る空気袋体は、前記空気流通遮断防止手段が、前記袋体のウエルダーの終端に沿って全外周に配設されることを特徴とする。【０００８】  請求項４に係る空気袋体は、前記空気流通遮断防止手段が、円柱体、角柱体又は中空管体等から構成されることを特徴とする。【０００９】  請求項５に係る空気袋体は、前記空気流通遮断防止手段が、弾性部材で作られることを特徴とする。【００１０】  請求項６に係る空気袋体は、前記空気流通遮断防止手段が、前記中空管体内のウエルダーの終端位置近傍に弾性部材を配設してなることを特徴とする。【００１１】  請求項７に係る空気袋体は、前記空気流通遮断防止手段が、前記中空管体内に空気を充填して構成されることを特徴とする。
【発明の効果】
【００１２】  本発明に係る空気袋体によれば、空気袋体への空気の供給をスムーズに行えることができるために空気袋体による効果の出る空気マッサージが有効になされ、また空気袋体内からの空気の排出を効率的に行うことができる。
【発明を実施するための最良の形態】
【００１３】  以下、添付図面を参照して本発明の好ましい実施形態を説明する。
図１は、腹部の空気マッサージ用の空気袋体の概略図を示す。該図において、符号１０は、所定の長さを有する直方形のウレタン樹脂製の空気を充填するための袋体であり、袋体１０は、その一端にポンプと接続するための空気供給・排出手段である接続口１２を備える。符号１４はポンプであり、弁制御装置１６を介して袋体１０内に空気を供給する。空気袋体１０は袋体内に空気の部屋を区画するために所定の間隔をもって所定の長さで縦方向に延出するウエルダー加工１８を施している。ウエルダーは、袋体の長手方向で上端側及び又は下端側に空気流通路を形成するように所定の長さをもって終端１９している。空気供給・排出手段１２は連通管２０を介して、弁制御装置１６、ポンプ１４に接続される。【００１４】  空気袋体の上端側及び又は下端側に形成された空気流通路内に空気流通遮断防止手段２２が配設される。空気流通遮断防止手段２２は、空気供給・排出手段である接続口を設けた側の袋体の長手方向に沿って配設される。すなわち、空気流通遮断防止手段２２は、図１において、接続口１２を設けた側の袋体の一方で長手方向にウエルダーの終端１９に沿って配設される。【００１５】  空気流通遮断防止手段２２は、図２において、接続口１２を設けた側の袋体の一方で長手方向にウエルダーの終端１９に沿って配設され、かつ接続口１２を設けた側とその対向する袋体の側で長手方向にウエルダーの終端１９に沿って配設される。【００１６】  さらに空気通遮断防止手段２２は、図３において、ウエルダーの上下の終端に沿って袋体の全外周に配設される。【００１７】  空気通遮断防止手段２２は、円柱体２４（図４（ａ）参照）、角柱体２６（図４（ｂ）参照）から構成され、かつ円柱体、角柱体は、剛性を備えた弾性材料から作られる。また、空気通遮断防止手段２２は、中空管体２８から構成され、中空管体内のウエルダーの近傍に弾性部材３０を配設して構成される（図４（ｃ）参照）。さらに、空気通遮断防止手段は、一端を閉じ、かつ他端に連通管３４を接続した中空管体２８内に空気を充填して構成される（図４（ｄ）参照）。【００１８】  空気通遮断防止手段２２が、上述した円柱体、角柱体、ウエルダーの近傍に弾性部材を配設してなる中空管体の場合、弁制御装置１６は、図５（ａ）に示すように構成される。該図において、弁制御装置１６は、袋体の空気供給・排出手段１２と接続する空気供給・排出路４０と、袋体の空気を外部に排出する空気外部排出路４２と、それぞれの路に配設された弁４４、４６を備える。弁４４は、空気袋体へ空気供給及び排出を制御し、また弁４６は空気袋体内の空気の外部への排出を制御し、これら弁は所定のシーケンスでもってオンーオフされる。すなわち、弁４６を閉じた状態で、弁４４を開き袋体内にポンプからの空気を供給導入して空気袋体に空気を充填する。空気マッサージ終了後、弁４４及び弁４６を開いて袋体内の空気を外部に排出する。【００１９】  また、空気通遮断防止手段２２が、一端を閉じ、他端を連通管３４に接続した中空の管体内に空気を充填して構成される場合、弁制御装置１６は、図５（ｂ）に示すように構成される。該図において、弁制御装置は、袋体への空気供給・排出路４０と、空気通遮断防止手段としての管体への空気供給入・排出路４８と、袋体内及び管体の空気を外部に排出する空気外部排出路４２と、各路にそれぞれ配設された弁４４、４６、５０とを備える。弁４４は、空気袋体へ空気供給及び排出を制御し、弁４６は空気袋体内及び管体内の空気の外部への排出を制御し、また弁４８は、空気袋体へ空気供給及び排出を制御する。これら弁４４、４６、５０は所定のシーケンスでもってオンーオフされる。すなわち、弁４６を閉じた状態で、弁４４及び弁５０を開き袋体内及び管体２２にポンプからの空気を供給して空気袋体及び中空管体に空気を充填する。空気マッサージ終了後、弁４４及び弁４６を開いて袋体内の空気を外部に排出し、その後弁５０及び弁４６を開いて管体２２内の空気を外部に排出する。【００２０】  ポンプは各種のポンプを使用することができるが、例えばバタフライ型ポンプを使用することがコンパク化の面で好ましい。そして、ポンプ及び弁制御装置は、空気袋体の片側に設けられる収納袋内に挿設される。なお、空気袋体の端部の片側には、マジックテープ５２を設けることにより簡単に空気袋体を腹部、膝部又は脚部に取り付けることができる。【００２１】  図６は、空気通遮断防止手段２２を配設したリハビリ用の指マッサージ空気手袋の概略図である。該図において、空気通遮断防止手段２２は、指部から手首に向けて所定の長さまで延出するウエルダーの終端１９に沿って長手方向に配設される。【００２２】  図７は、空気通遮断防止手段２２を配設した膝や膝間節のマッサージ用空気袋体の概略図である。空気通遮断防止手段２２は、上述した腹部の空気マッサージ用の空気袋体と同じ構成を備える。
【産業上の利用可能性】
【００２３】  以上のように本発明に係る空気袋体は、空気で身体の腹部、脚部、間接部等の部位を空気でマッサージに適用される。
【図面の簡単な説明】
【００２４】
【図１】図１は、本発明に係る空気袋体を示す概略図である。
【図２】図２は、本発明に係る他の空気袋体を示す概略図である。
【図３】図３は、本発明に係るさらに他の空気袋体を示す概略図である。
【図４（ａ）】図４（ａ）は、空気通遮断防止手段の概略図である。
【図４（ｂ）】図４（ｂ）は、他の空気通遮断防止手段の概略図である。
【図４（ｃ）】図４（ｃ）は、さらに他の空気通遮断防止手段の概略図である。
【図４（ｄ）】図４（ｄ）は、さらに他の空気通遮断防止手段の概略図である。
【図５（ａ）】図５（ａ）は、本発明に係る弁制御装置を備えた空気袋体を示す概略図である。概略図である。
【図５（ｂ）】図５（ｂ）は、本発明に係るさらに他の弁制御装置を備えた空気袋体を示す概略図である。
【図６）】図６は、リハビリ用の指マッサージ空気手袋を示す概略図である。
【図７）】図７は、膝や膝間節のマッサージ用空気袋体を示す概略図である。
【符号の説明】
【００２５】１０；空気袋体
１２；空気供給・排出手段
１４；ポンプ
１６；弁制御装置
１８；ウエルダー
１９；ウエルダーの終端
２０；連通管
２２；空気流通遮断防止手段
２４；円柱体
２６；角柱体
２８；中空体
３０；弾性部材
４０、４８；弁制御装置内の空気供給・排出路
４２；弁制御装置内の空気外部排出路
４４、４６、５０；弁
【図１】
2005066247.tif 000003
【図２】
2005066247.tif 000004
【図３】
2005066247.tif 000005
【図４（ａ）】
2005066247.tif 000006
【図４（ｂ）】
2005066247.tif 000007
【図４（ｃ）】
2005066247.tif 000008
【図４（ｄ）】
2005066247.tif 000009
【図５（ａ）】
2005066247.tif 000010
【図５（ｂ）】
2005066247.tif 000011
【図６】
2005066247.tif 000012
【図７】
2005066247.tif 000013